(57)【特許請求の範囲】
【請求項１】
回転体を有し、この回転体の回転に伴って電気信号を出力する回転型電気機構と、上記回転体を回転操作するとともに、上記回転体の回転軸に直交する方向へ押圧操作が可能な操作部材と、この操作部材の上記押圧操作に伴って作動するスイッチ機構と、
上記操作部材の回転操作を上記回転型電気機構に伝達可能であるとともに、上記操作部材の押圧操作を許容させる継手部材とを備え、
上記回転体が回転板から成り、
上記継手部材は、互いに直交するそれぞれ一対の第１対向辺部と第２対向辺部とを有するとともに、上記操作部材と上記回転板との間に配置され、
上記回転板の表面に、上記継手部材が収容される第２凹部を形成するとともに、上記第２凹部が、上記継手部材の上記一対の第２対向辺部とそれぞれ対向する一対の第２内壁面を有し、
上記回転板の表面に向かい合う上記操作部材の裏面に、上記継手部材が上記第２凹部に収容された状態にある上記回転板が収容される第１凹部を形成するとともに、上記第１凹部が、上記継手部材の上記一対の第１対向辺部とそれぞれ対向する一対の第１内壁面を有し、
上記操作部材を上記押圧操作した際に、上記第１凹部の上記第１内壁面が上記継手部材の上記第１対向辺部により一方向にガイドされ、上記第２凹部の上記第２内壁面が上記継手部材の上記第２対向辺部により相対的に上記一方向と直交する方向にガイドされるようにしたことを特徴とする複合操作入力装置。
【請求項２】
請求項１記載の発明において、
上記操作部材の上記第１凹部の外壁を筒状に形成するとともに、
上記外壁の外側に、上記操作部材の押圧方向に沿って対向配置され、上記操作部材をこの操作部材の回転中心方向に付勢する一対の弾性部材を備えたことを特徴とする複合操作入力装置。
【請求項３】
請求項１または２記載の発明において、
上記操作部材の上記押圧操作に伴って、上記回転体の上記回転軸とは異なる回動軸を中心として回動し、上記スイッチ機構を作動させる回動押圧部材を備えたことを特徴とする複合操作入力装置。
【発明の詳細な説明】
【技術分野】
【０００１】
本発明は、操作部材の回転操作に伴って信号を出力する回転型電気機構と、操作部材の摺動による押圧操作に伴って作動するスイッチ機構とを備えた複合操作入力装置に関する。
【背景技術】
【０００２】
この種の従来技術として、特許文献１，２に示されるものがある。特許文献１には、回転可能な軸すなわち回転体を有し、この回転体の回転に伴って電気信号を出力するロータリエンコーダ、すなわち回転型電気機構と、上述の回転板を回転操作するとともに、摺動による押圧操作が可能な駆動体、すなわち操作部材と、この操作部材の上述の押圧操作に伴って作動するプッシュスイッチ、すなわちスイッチ機構とが開示されている。また、操作部材の回転操作を回転型電気機構に伝達可能であるとともに、操作部材の押圧操作を許容させるオルダム接ぎ手が開示されている。
【０００３】
この特許文献１に示されるオルダム接ぎ手は、操作部材に設けた凸部を摺動可能に収容する凹条部すなわち溝部を表面に有するとともに、この溝部と直交する方向に延設され、回転体に設けた凸部を摺動可能に収容する別の凹条部すなわち溝部を裏面に有する伝達部、すなわち継手部材を備えている。
【０００４】
この特許文献１に示される従来技術では、操作部材を回転させることによってオルダム接ぎ手及び回転体を介して回転型電気機構から信号が出力され、例えばこのように操作部材を所定角度だけ回転させた状態で、操作部材の回転中心と直交する方向にオルダム接ぎ手を介して、この操作部材を摺動させて押圧操作を行うことによってスイッチ機構が作動するようになっている。なお、特許文献２にも、上述の特許文献１に開示された構成と同等の構成が開示されている。
【特許文献１】特許第３７２０９４２号公報
【特許文献２】特許第３７２０９５２号公報
【発明の開示】
【発明が解決しようとする課題】
【０００５】
上述した従来技術では、例えば特許文献１に示される駆動体すなわち継手部材の表面と裏面に、互いに直交する方向に延設される溝部が形成され、これらの溝部が操作部材の凸部、回転体の凸部との係合を確実にさせる深さ寸法を要すること、及び表面の溝部と裏面の溝部との間に、所定強度を持った厚さ部分を要することから、この継手部材の厚さ寸法が大きくなり、装置全体の薄型化が難しくなる問題があった。
【０００６】
本発明は、上述した従来技術における実状からなされたもので、その目的は、操作部材の回転操作を回転型電気機構に伝達可能であるとともに、操作部材の押圧操作を許容させる継手部材の厚さ寸法を、小さく設定し、装置全体を薄型化することができる複合操作入力装置を提供することにある。
【課題を解決するための手段】
【０００７】
この目的を達成するために、本発明は、回転体を有し、この回転体の回転に伴って電気信号を出力する回転型電気機構と、上記回転体を回転操作するとともに、上記回転体の回転軸に直交する方向へ押圧操作が可能な操作部材と、この操作部材の上記押圧操作に伴って作動するスイッチ機構と、上記操作部材の回転操作を上記回転型電気機構に伝達可能であるとともに、上記操作部材の押圧操作を許容させる継手部材とを備え、上記回転体が回転板から成り、上記継手部材は、互いに直交するそれぞれ一対の第１対向辺部と第２対向辺部とを有するとともに、上記操作部材と上記回転板との間に配置され、上記回転板の表面に、上記継手部材が収容される第２凹部を形成するとともに、上記第２凹部が、上記継手部材の上記一対の第２対向辺部とそれぞれ対向する一対の第２内壁面を有し、上記回転板の表面に向かい合う上記操作部材の裏面に、上記継手部材が上記第２凹部に収容された状態にある上記回転板が収容される第１凹部を形成するとともに、上記第１凹部が、上記継手部材の上記一対の第１対向辺部とそれぞれ対向する一対の第１内壁面を有し、上記操作部材を上記押圧操作した際に、上記第１凹部の上記第１内壁面が上記継手部材の上記第１対向辺部により一方向にガイドされ、上記第２凹部の上記第２内壁面が上記継手部材の上記第２対向辺部により相対的に上記一方向と直交する方向にガイドされるようにしたことを特徴としている。
【０００８】
このように構成した本発明は、継手部材の第１対向辺部及び第２対向辺部を介して、操作部材を一方向に、回転板をこの一方向と直交する方向に、それぞれガイドすることができる。すなわち、操作部材と回転板に対するガイド機能を、継手部材の表面及び裏面に溝部を形成することなく、継手部材の第１対向辺部と第２対向辺部を活用させることによって確保することができる。これにより、継手部材の表面及び裏面に溝部を設けることによって大きく設定せざるを得なかった継手部材の厚さ寸法を、小さく設定することが可能となる。
【０００９】
また、このように構成した本発明は、操作部材の第１凹部内に回転板を収容することができるので、操作部材と回転板とを含めた部分の厚さ寸法を小さく設定することができる。
【００１０】
また、本発明は、上記発明において、上記操作部材の上記第１凹部の外壁を筒状に形成するとともに、上記外壁の外側に、上記操作部材の押圧方向に沿って対向配置され、上記操作部材をこの操作部材の回転中心方向に付勢する一対の弾性部材を備えたことを特徴としている。このように構成した本発明は、弾性部材の付勢力を介して、安定した操作部材の回転操作と押圧操作が可能となる。
【００１１】
また、本発明は、上記発明において、上記操作部材の上記押圧操作に伴って、上記回転体の上記回転軸とは異なる回動軸を中心として回動し、上記スイッチ機構を作動させる回動押圧部材を備えたことを特徴としている。このように構成した本発明は、操作部材を押圧操作した際に、回動押圧部材の回動を介してスイッチ機構を円滑に、かつ確実に作動させることができる。
【発明の効果】
【００１２】
本発明は、操作部材の回転操作を回転型電気機構に伝達可能であるとともに、操作部材の押圧操作を許容させる継手部材が、互いに直交するそれぞれ一対の第１対向辺部と第２対向辺部とを有するとともに、操作部材と回転板との間に配置され、回転板の表面に、継手部材が収容される第２凹部を形成するとともに、第２凹部が、継手部材の一対の第２対向辺部とそれぞれ対向する一対の第２内壁面を有し、回転板の表面に向かい合う操作部材の裏面に、継手部材が第２凹部に収容された状態にある回転板が収容される第１凹部を形成するとともに、第１凹部が、継手部材の一対の第１対向辺部とそれぞれ対向する一対の第１内壁面を有し、操作部材を押圧操作した際に、第１凹部の第１内壁面が継手部材の第１対向辺部により一方向にガイドされ、第２凹部の第２内壁面が継手部材の第２対向辺部により相対的に一方向と直交する方向にガイドされるようにした構成にしてあることから、従来のように、継手部材の表面及び裏面に溝部を設けることなく操作部材と回転板とをガイドすることができ、この継手部材の厚さ寸法を従来よりも小さく設定することができる。これにより、従来では難しかった装置の薄型化を実現させることができる。また、操作部材の第１凹部内に回転板を収容することができるので、操作部材と回転板を含めた部分の厚さ寸法を小さく設定することができる。
【発明を実施するための最良の形態】
【００１３】
以下，本発明に係る複合操作入力装置を実施するための最良の形態を図に基づいて説明する。
【００１４】
［本実施形態の構成］
図１は本発明に係る複合操作入力装置の一実施形態を示す斜視図、図２は図１に示す状態から摘みとねじを除いた状態を示す斜視図、図３は図２に示す状態を他方向から見た斜視図、図４は図３の要部を破断して示した斜視図、図５は図２に示す状態の拡大分解斜視図である。また、図６は図２に示す状態から操作部材の小径部を除いた状態を示す平面図、図７は図２のＡ−Ａ断面拡大図である。また、図８は図６に示す状態から操作部材を摺動させた状態を示す平面図、図９は図６に対応する断面拡大図である。さらに、図１０は図６に示す状態から操作部材の大径部を除いた状態を示す平面図、図１１は図１０に示す状態から操作部材を摺動させた状態を示す平面図、図１２は図１０に示す状態から操作部材を回転させた状態を示す平面図である。
【００１５】
図１〜５に示すように、本実施形態は、基体を形成する合成樹脂製のケース１と、このケース１の上面を覆う金属製のカバー２とを備えている。図３に示すように、ケース１の係合突起１ａにカバー２の穴部２ｂがスナップ結合されることによってカバー２がケース１に取り付けられている。
【００１６】
カバー２の上面には孔部２ａが形成され、この孔部２ａから突出するように、合成樹脂製の操作部材５の小径部５ｂが移動可能に配置されている。すなわち、操作部材５の小径部５ｂの外径寸法に比べてカバー２の孔部２ａの径寸法を大きく設定してある。
【００１７】
カバー２上には、図１に示すように、摘み３が配置され、この摘み３はねじ４によって操作部材５に取り付けてある。操作部材５には、ねじ４が挿入される孔部５ａを形成してある。これにより摘み３と操作部材５とは一体に回転し、また、一体に摺動可能となっている。
【００１８】
操作部材５の裏面側には、合成樹脂製の継手部材６と、回転体例えば合成樹脂製の回転板７とを配置してある。継手部材６は、操作部材５と回転板７との間に配置してある。この継手部材６は、２軸方向に移動可能であって、すなわち一平面内に移動可能であって、後述するように操作部材５の回転操作を回転型電気機構に伝達可能であるとともに、操作部材７の摺動による押圧操作を許容させるものである。
【００１９】
回転板７は、図５，７等に示すように、ケース１に植設される合成樹脂製の軸（回転軸）８に回転可能に保持されている。継手部材６には、軸８の外径寸法よりも十分に大きな径寸法の孔部６ｃを形成してある。
【００２０】
回転板７の裏面には、図５，７に示すように、可動接点例えば摺動子９を取り付けてあり、ケース１の底部には、この摺動子９が摺接する複数の固定接点、例えば複数の導電パターン１０を配置してある。これらの回転板７と、摺動子９と、導電パターン１０によって、回転板７の回転に伴って電気信号を出力する回転型電気機構が構成されている。
【００２１】
また、図７に示すように、操作部材５に当接し、軸（回動軸）１２を中心に回動可能な回動押圧部材１３を備えるとともに、この押圧部材１３の押圧部１３ａによって押圧可能な金属製のドーム形状に形成された可動接点１４を備えている。この可動接点１４の下方には、可動接点１４の周縁部に常時導通する周辺固定接点１５ａと、可動接点１４の中央部が選択的に導通する中央固定接点１５ｂとを配置してある。上述した可動接点１４と、周辺固定接点１５ａ及び中央固定接点１５ｂとによって、操作部材５の摺動による回動押圧部材１３に対する押圧操作に伴って作動するスイッチ機構が構成されている。
【００２２】
上述した操作部材５は、図５，７等に示すように、小径部５ｂの下方にカバー２の孔部２ａの径寸法よりも十分に大きい外径寸法を有する大径部５ｃを有し、さらに、この大径部５ｃの下方に、突出部５ｄを有している。
【００２３】
本実施形態に備えられる上述した継手部材６は、図６，７等に示すように、互いに直交するそれぞれ一対の第１対向辺部６ａと、第２対向辺部６ｂとを有している。第１対向辺部６ａは、操作部材５を一方向にガイドし、第２対向辺部６ｂは回転板７を上述の一方向と直交する方向にガイドするように成っている。
【００２４】
図５に示すように、回転板７の表面には、継手部材６が収容される第２凹部７ａを形成してあり、この第２凹部７ａは、継手部材６の上述した一対の第２対向辺部６ｂとそれぞれ対向する一対の第２内壁面７ａ１を有している。また、回転板７の表面に向かい合う操作部材５の裏面には、図７に示すように、継手部材６が上述の第２凹部７ａに収容された状態にある回転板７が収容される第１凹部５ｃ１を形成してあり、この第１凹部５ｃ１は、図６に示すように、継手部材６の上述した一対の第１対向辺部６ａとそれぞれ対向する一対の第１内壁面５ｃ１ａを有している。第１凹部５ｃ１の外壁は筒状に形成してある。
【００２５】
上述した継手部材６と、回転板７の第２凹部７ａの第２内壁面７ａ１と、操作部材５の第１凹部５ｃ１の第１内壁面５ｃ１ａとによって、操作部材５の回転力を回転板７に伝えるとともに、操作部材７の摺動による押圧力を回動押圧部材１３に伝えることを許容させる継手機構が構成されている。
【００２６】
また、本実施形態は、操作部材５が、少なくとも一対の対向面部を有するとともに、操作部材５の上述の対向面部を操作部材５の押圧方向へ案内する案内部材を備え、対向面部が案内部材と整合する位置まで操作部材５を回転させて回動押圧部材１３を押圧する押圧操作に伴って、上述したスイッチ機構が作動するように構成してある。
【００２７】
上述した対向面部は、例えば図１０等に示すように、操作部材５の上述した突出部５ｄに形成した対向面部５ｄ１から成っている。操作部材５の突出部５ｄは、複数対の対向面部５ｄ１を有する多角形、例えば３対の対向面部５ｄ１を有する六角形に形成してある。
【００２８】
この突出部５ｄに形成される対向面部５ｄ１を操作部材５の押圧方向へ案内する上述した案内部材は弾性部材から成り、この弾性部材は、操作部材５の突出部５ｄを対向面部５ｄ１が案内部材と整合するように付勢する。例えば、この弾性部材は、図１０等に示すように、一対の板ばね１１から成り、それぞれ操作部材５の押圧方向に沿って延設され、互いに対向配置され、操作部材５をこの操作部材５の回転中心方向に付勢している。
【００２９】
また、図１０等に示すように、上述した操作部材５の突出部５ｄの隣り合う対向面部５ｄ１間には、板ばね１１との係合、離脱に伴ってクリック感触を与える頂部５ｄ２が設けられている。
【００３０】
本実施形態は、操作部材５が図１０に示す位置にあるときに、すなわち操作部材５が、突出部５ｄの対向面部５ｄ１が板ばね１１と整合して押圧方向に摺動可能な位置にあるときに、上述した回転型電気機構が所定の電気信号を出力するように、操作部材５の突出部５ｄの対向面部５ｄ１と板ばね１１との配置関係、及び回転板７に取り付けられる摺動子９と複数の導電パターン１０との配置関係を予め設定してある。例えば六角形から成る操作部材５の突出部５の３対の対向面部５ｄ１を構成する６つの辺のそれぞれが、板ばね１１に対向して整合することによって形成される異なった回転形態に対応して、それぞれの回転形態に固有の電気信号が出力されるように、複数の導電パターン１０の配置、及びこれらの導電パターン１０に摺接する摺動子９の取り付け位置を予め設定してある。
【００３１】
上述した回転形態は、操作部材５を初期位置（回転角度０度）から６０度だけ一方向に回転させた形態を第１回転形態とすると、操作部材５を初期位置からそれぞれ１２０度、１８０度、２４０度、３００度だけ回転させた形態が、第２回転形態、第３回転形態、第４回転形態、第５回転形態となる。したがって、操作部材５をそれぞれ６０度、１２０度、１８０度、２４０度、３００度回転させることに伴う摺動子９と導電パターン１０との接触により、上述の回転角度のそれぞれに固有な電気信号が出力されるようになっている。
【００３２】
例えば本実施形態を、複数の項目のうちのいずれかの項目を選択して、その選択された項目を確定させる処理を行う装置として活用させる場合には、上述の第１回転形態〜第５回転形態のそれぞれに対応して、異なった項目を予め設定しておけばよい。このように設定した場合には、操作部材５を同一方向に、６０度、１２０度、１８０度、２４０度、３００度それぞれ選択的に回転させることによって、該当する特定項目に応じた電気信号が回転型電気機構から出力される。
【００３３】
［本実施形態の動作］
操作部材５が初期位置（回転角度０度）に保持されている状態では、図６，７に示すように、スイッチ機構を構成するドーム状の可動接点１４の付勢力により押圧回動部材１３を介して操作部材５の大径部５ｃは、例えばケース１の内壁面に当接してその摺動が規制された状態となっている。また、図１０に示すように、一対の板ばね１１に操作部材５の突出部５ｄの一対の対向面部５ｄ１のそれぞれが整合しており、この板ばね１１の付勢力が突出部５ｄに与えられている。これらにより、操作部材５が所定位置に位置決めされ、ねじ４を介して摘み３が初期位置に保持された状態となっている。
【００３４】
このように摘み３及び操作部材５が初期位置に保持されている状態から、例えば図８，９の矢印１６で示すように、スイッチ機構を構成する可動接点１４の付勢力に抗して摘み３及び操作部材５に軸８に直交する方向の押圧力を加えて、これらを摺動させ押圧操作を行うと、回動押圧部材１３が軸１２を中心に回動し、この回動押圧部材１３の押圧部１３ａによってスイッチ機構の可動接点１４が撓み、可動接点１４の中央部分が中央固定接点１５ｂに接続され、このスイッチ機構が作動する。すなわち、可動接点１４を介して中央固定接点１５ｂと周辺固定接点１５ａとが導通し、スイッチオンとなる。このスイッチオンにより、摘み３及び操作部材５が押圧操作されたことが検出される。
【００３５】
なお、摘み３及び操作部材５を摺動させる際に、操作部材５の突出部５ｄの一対の対向面部５ｄ１のそれぞれは、図１１に示すように板ばね１１に案内される。また、上述の操作部材５の摺動に際して、操作部材５の第１凹部５ｃ１の第１内壁面５ｃ１ａと継手部材６の第１対向辺部６ａとの係合によって、継手部材６が回転板７の第２凹部７ａの第２内壁面７ａ１に相対的にガイドされて、操作部材５と一体的に移動する。
【００３６】
このようにスイッチ機構を作動させている状態から、摘み３及び操作部材５に加えていた押圧力を除くと、可動接点１４の復元力によって、可動接点１４が中央固定接点１５ａから離れてスイッチオフとなるとともに、上述の可動接点１４の復元力が回動押圧部材１３に伝えられ、この回動押圧部材１３は軸１２を中心に上述とは逆方向に回動し、この回動押圧部材１３によって操作部材５は、その大径部５ｃがケース１の内壁に当接して動きが規制されるまで初期位置方向へ押し戻される。これにより、摘み３及び操作部材５は上述した初期位置に復帰する。
【００３７】
また、図６，７に示す状態から、摘み３及び操作部材５を、例えば一方向に６０度回転させると、操作部材５の突出部５ｃの上述とは異なる一対の対向面部５ｄ１が板ばね１１に整合する状態となる。これにより回転型電気機構から回転角度６０度に相応する電気信号が出力される。すなわち、摘み３と一体に回転する操作部材５の回転力が、この操作部材５の第１凹部５ｃ１の第１内壁面５ｃ１ａと継手部材６の第１対向辺部６ａとの係合を介して継手部材６に伝えられる。さらに、この継手部材６に伝えられた回転力が、この継手部材６の第２対向辺部６ｂと回転板７の第２凹部７ａの第２内壁面７ａ１との係合を介して回転板７に伝えられ、この回転板７が軸８を中心に回転する。この回転板７の回転に伴って、この回転板７に取り付けられた摺動子９が複数の導電パターン１０のうちの、回転角度６０度に相応する位置に配置された導電パターン１０に接触し、回転角度６０度に相応する電気信号が出力される。
【００３８】
なお、上述した操作部材５の回転に際して、操作部材５の突出部５ｄの頂部５ｄ２が板ばね１１のそれぞれに係合、離脱することによって、板ばね１１の撓みを介在させたクリック感触を得ることができる。
【００３９】
また、上述した摘み３及び操作部材５の回転操作後に、摘み３及び操作部材５を押圧操作すると、操作部材５の第１凹部５ｃ１の第１内壁面５ｃ１ａが継手部材６の第１対向辺部６ａに一方向にガイドされ、回転板７の第２凹部７ａの第２内壁面７ａ１が継手部材６の第２対向辺部６ｂに相対的に上述の一方向と直交する方向にガイドされる。これによって、継手部材６が２軸方向に移動して、すなわち一平面内において移動して、操作部材５の摺動が許容され、この操作部材５の摺動によって、上述したように回動押圧部材１３が回動する。この回動によって、可動接点１４が中央固定接点１５ｂに導通し、スイッチオンとなる。
【００４０】
以下同様に、摘み３及び操作部材５を初期位置から１２０度、１８０度、２４０度、３００度それぞれ回転させた場合にも、それぞれの回転角度に固有の電気信号が回転型電気機構から出力される。また、上述のそれぞれの回転角度において摘み３及び操作部材５を摺動させて押圧操作が行われた場合には、該当する回転角度における回転型電気機構の電気信号に関連させて的確にスイッチ機構を作動させることができる。
【００４１】
なお、図１２に示すように、回転操作に際して摘み３及び操作部材５を、初期位置から６０度に満たない小さな回転角度、例えば１５度程度回動させた場合には、板ばね１１が操作部材５の頂部５ｄ２に与える付勢力によって、同図１２の矢印１７で示すように操作部材５に初期位置に戻る方向の回転力が与えられる。したがって、摘み３に加えていた回転力を除くと、摘み３及び操作部材５は初期位置に復帰する。また、摘み３及び操作部材５を、初期位置から６０度に満たない大きな回転角度、例えば４５度程度回動させた場合には、板ばね１１と頂部５ｄ２との位置関係により、操作部材５に上述した矢印１７とは逆方向の回転力が働く。したがって摘み３に加えていた回転力を除くと、摘み３及び操作部材５は初期位置から６０度の回転角度の位置まで回転し、この位置で操作部材５の突出部５ｄの対向面部５ｄ１が板ばね１１に整合する。
【００４２】
摘み３及び操作部材５を初期位置から１２０度、１８０度、２４０度、３００度のそれぞれ付近まで回転させた場合も同様であり、そのときに摘み３に加えていた回転力を除くと、操作部材５の突出部５ｄの対向面部５ｄ１が板ばね１１に整合する回転角度１２０度、１８０度、２４０度、３００度の位置のそれぞれに、摘み３及び操作部材５は正しく位置決めされる。
【００４３】
摘み３及び操作部材５の回転操作によって回転型電機機構から電気信号を出力させた後に、これらの摘み３及び操作部材５を押圧操作してスイッチ機構を作動させる場合には、上述のように摘み３及び操作部材５を所定の回転角度において位置決めした後に、押圧操作を行えばよい。
【００４４】
なお、本実施形態を、複数の項目のうちのいずれかの項目を選択して、その選択された項目を確定させる処理を行う装置として活用させる場合には、上述したように第１回転形態（６０度）、第２回転形態（１２０度）、第３回転形態（１８０度）、第４回転形態（２４０度）、第５回転形態（３００度）のそれぞれに対応して、例えば異なった項目が予め設定される。したがって、摘み３及び操作部材５を同一方向に、６０度、１２０度、１８０度、２４０度、３００度それぞれ選択的に回転させることによって、該当する回転角度に相当する特定項目に応じた電気信号が回転型電気機構から出力される。それぞれの回転角度において、摘み３及び操作部材５を摺動させて押圧操作を行うと、スイッチ機構が作動し、選択された特定項目を確定する処理がなされる。このように本実施形態に係る複合操作入力装置を活用した場合には、複数の項目のうちの特定項目を確実に選択し、確定する処理を行うことができる。
【００４５】
［本実施形態の効果］
以上のように構成した本実施形態によれば、ガイド部を形成する継手部材６の第１対向辺部６ａ及び第２対向辺部６ｂを介して操作部材５を一方向に、回転板７をこの一方向と直交する方向に、それぞれガイドすることができる。すなわち、操作部材５と回転板７に対するガイド機能を、継手部材６の表面及び裏面に溝部を形成することなく、継手部材６の第１対向辺部６ａと第２対向辺部６ｂを活用させることによって確保することができる。これにより、継手部材６の表面及び裏面に溝部を設けることによって大きく設定せざるを得なかった継手部材６の厚さ寸法を、小さく設定することが可能となり、装置の薄型化を実現させることができる。また、２軸方向に摺動可能な上述の継手部材６を備えたことから、この継手部材６を介して操作部材５を円滑に摺動させて、良好な押圧操作を実施させることができる。
【００４６】
また、操作部材５の第１凹部５ｃ１内に回転板７を収容することができるので、操作部材５と回転板７とを含めた部分の厚さ寸法を小さく設定することができ、これによってさらに装置の薄型化を実現できる。
【００４７】
また、案内部材を構成する弾性部材、すなわち操作部材５をこの操作部材５の回転中心方向に付勢する一対の板ばね１１を備えたことから、この板ばね１１の付勢力を介して、摘み３及び操作部材５の安定した回転操作と押圧操作が可能となり、操作性に優れた信頼性の高い装置とすることができる。また、操作部材５が回転操作された際に、板ばね１１の付勢力によってこの操作部材５を所定の回転角度位置に確実に位置決めすることができる。さらに、この板ばね１１によって、板ばね１１の延設方向に沿うように操作部材５を円滑に摺動させることができ、良好な押圧操作の実現に貢献する。このような板ばね１１は、簡単な構成とすることができ、これにより製作費を安くすることができる。
【００４８】
また、本実施形態は、操作部材５を、その突出部５ｄの対向面部５ｄ１が案内部材すなわち板ばね１１と整合する位置まで回動させた後に、摺動による押圧操作を行えば、操作部材５の対向面部５ｄ１が板ばね１１と整合する６０度、１２０度、１８０度、２４０度、３００度の回転角度において回転型電気機構から信号が出力され、その後に可動接点１４、及び周辺固定接点１５ａ、中央固定接点１５ｂから成るスイッチ機構を作動させることができる。すなわち、摘み３及び操作部材５の所定回転角度に応じた回転型電気機構からの電気信号の出力と、スイッチ機構の作動との望ましい動作関係を得ることができる。これにより、誤操作を生じることなく、すなわち誤操作を生じない電気信号が回転型電気機構から出力するように摘み３及び操作部材５を的確に、かつ容易に操作することができる。この点でも信頼性の高い装置を実現させることができる。
【００４９】
また、操作部材５の突出部５ｄの頂部５ｄ２がクリック部材を形成するので、他に特別なクリック部材を設けなくて済み、製作費を安くすることができる。また、突出部５ｄの頂部５ｄ２と板ばね１１との摺接によってクリック感触を得るようにしてあることから、叩打音等が生じない静かな状況が形成された中で良好なクリック感触を得ることができる。この点でも信頼性の高い装置を実現させることができる。
【００５０】
［他の実施形態］
上記実施形態は、操作部材５を押圧方向へ案内する案内部材として板ばね１１を設けた構成にしてあるが、本発明は、このように構成することには限られず、案内部材がねじりコイルばねを含む構成であってもよい。
【００５１】
また、上記実施形態は、回転型電気機構を、摺動子９を導電パターン１０に摺接させて電気信号を出力させる構成にしてあるが、本発明は、このように構成することには限られず、この回転型電気機構を磁石を備えた非接触式の構成にすることもできる。
【図面の簡単な説明】
【００５２】
【図１】本発明に係る複合操作入力装置の一実施形態を示す斜視図である。
【図２】図１に示す状態から摘みとねじを除いた状態を示す斜視図である。
【図３】図２に示す状態を他方向から見た斜視図である。
【図４】図３の要部を破断して示した斜視図である。
【図５】図２に示す状態の拡大分解斜視図である。
【図６】図２に示す状態から操作部材の小径部を除いた状態を示す平面図である。
【図７】図２のＡ−Ａ断面拡大図である。
【図８】図６に示す状態から操作部材を摺動させた状態を示す平面図である。
【図９】図６に対応する断面拡大図である。
【図１０】図６に示す状態から操作部材の大径部を除いた状態を示す平面図である。
【図１１】図１０に示す状態から操作部材を摺動させた状態を示す平面図である。
【図１２】図１０に示す状態から操作部材を回転させた状態を示す平面図である。
【符号の説明】
【００５３】
１    ケース
１ａ  係合突起
２    カバー
２ａ  孔部
２ｂ  穴部
３    摘み
４    ねじ
５    操作部材
５ａ  孔部
５ｂ  小径部
５ｃ  大径部
５ｃ１  第１凹部
５ｃ１ａ  第１内壁面
５ｄ  突出部
５ｄ１  対向面部
５ｄ２  頂部
６    継手部材
６ａ  第１対向辺部
６ｂ  第２対向辺部
６ｃ  孔部
７    回転板（回転型電気機構）
７ａ  第２凹部
７ａ１  第２内壁面
７ｂ  孔部
８    軸
９    摺動子（可動接点）［回転型電気機構］
１０    導電パターン（固定接点）［回転型電気機構］
１１    板ばね（弾性部材）［案内部材］
１２    軸
１３    回動押圧部材
１３ａ  押圧部
１４    可動接点（スイッチ機構）
１５ａ  周辺固定接点（スイッチ機構）
１５ｂ  中央固定接点（スイッチ機構）
【図１】
0004638829.tif 000002
【図２】
0004638829.tif 000003
【図３】
0004638829.tif 000004
【図４】
0004638829.tif 000005
【図５】
0004638829.tif 000006
【図６】
0004638829.tif 000007
【図７】
0004638829.tif 000008
【図８】
0004638829.tif 000009
【図９】
0004638829.tif 000010
【図１０】
0004638829.tif 000011
【図１１】
0004638829.tif 000012
【図１２】
0004638829.tif 000013